(57)【特許請求の範囲】
【請求項１】
並列通信を集合的に形成するように構成された複数の並列かつ独立した信号を有する複合時間領域信号を処理するデジタル信号処理ユニットであって、前記複合時間領域信号は、少なくとも第１の時間領域信号及び第２の時間領域信号を含み、前記第１の時間領域信号は、第１の遷移時間境界において互いに切れ目のない第１のＯＦＤＭシンボル及び第２のＯＦＤＭシンボルによって少なくとも形成されたＯＦＤＭ信号であり、前記複合時間領域信号は、前記並列通信に関連付けられるように構成されるとともに、互いに隣接し、それぞれ前記第１の時間領域信号及び前記第２の時間領域信号に関連付けられた第１の周波数サブバンド及び第２の周波数サブバンドに少なくとも構成される所与の周波数帯域にわたって拡がる複合周波数領域信号の時間領域表現に対応し、該デジタル信号処理ユニットは、
前記第１の遷移時間境界の両側に位置する前記第１の時間領域信号の第１の所定の複数の時間領域サンプルを抽出するように構成された第１の抽出ユニットと、
前記第１の抽出ユニットに動作可能に結合されるとともに、第１の抽出された時間領域サンプルをフィルタリングし、それにより、第１のフィルタリングされた時間領域サンプルを生成するように構成された第１のフィルタリングユニットと、
前記第１のフィルタリングユニットに動作可能に結合されるとともに、前記第１の時間領域信号において、前記第１の抽出された時間領域サンプルを、前記第１のフィルタリングされた時間領域サンプルに交換するように構成された第１の交換ユニットと、
を含む、デジタル信号処理ユニット。
【請求項２】
前記複合周波数領域信号は、複数のサブキャリアによって形成されたマルチキャリア信号であり、
前記第２の時間領域信号は、第２の遷移時間境界において互いに切れ目のない第１のＯＦＤＭシンボル及び第２のＯＦＤＭシンボルによって少なくとも形成されたＯＦＤＭ信号であり、
前記第１の時間領域信号及び前記第２の時間領域信号は、少なくとも１つの異なる動作パラメーターを呈し、
前記デジタル信号処理ユニットは、
前記第２の遷移時間境界の両側に位置する前記第２の時間領域信号の第２の所定の複数の時間領域サンプルを抽出するように構成された第２の抽出ユニットと、
前記第２の抽出ユニットに動作可能に結合されるとともに、第２の抽出された時間領域サンプルをフィルタリングし、それにより、第２のフィルタリングされた時間領域サンプルを生成するように構成された第２のフィルタリングユニットと、
前記第２のフィルタリングユニットに動作可能に結合されるとともに、前記第２の時間領域信号において、前記第２の抽出された時間領域サンプルを、前記第２のフィルタリングされた時間領域サンプルに交換するように構成された第２の交換ユニットと、
を更に含む、請求項１に記載のデジタル信号処理ユニット。
【請求項３】
前記動作パラメーターは、サブキャリア間隔、サイクリックプレフィックス長、サブフレーム持続時間、送信時間インターバル及び高速フーリエ変換長のうちの少なくとも１つを含む、請求項２に記載のデジタル信号処理ユニット。
【請求項４】
時間領域において、平滑漸減ウィンドウ関数を用いて、前記フィルタリングされた時間領域サンプルをウィンドウ整形し、それにより、第１の漸減時間領域サンプルを生成するように構成されたウィンドウ整形ユニットと、
前記時間領域において、前記平滑漸減ウィンドウ関数の逆関数を用いて、前記抽出された時間領域サンプルをウィンドウ整形し、それにより、第２の漸減時間領域サンプルを生成するように更に構成された前記ウィンドウ整形ユニットと、
前記ウィンドウ整形ユニットに動作可能に結合されるとともに、前記時間領域において、前記第１の漸減時間領域サンプルに、前記第２の漸減時間領域サンプルを重み付け方式で加算し、それにより、組み合わされた漸減時間領域サンプルを生成するように構成された加算ユニットと、
前記加算ユニットに動作可能に結合されるとともに、それぞれ、前記第１の時間領域信号及び前記第２の時間領域信号の少なくとも一方において、前記抽出された時間領域サンプル又は前記フィルタリングされた時間領域サンプルを、前記組み合わされた漸減時間領域サンプルに交換するように更に構成された、前記第１の交換ユニット及び前記第２の交換ユニットの少なくとも一方と、
を更に含む、請求項２又は３に記載のデジタル信号処理ユニット。
【請求項５】
それぞれ前記第１の時間領域信号及び前記第２の時間領域信号の少なくとも一方の全ての時間領域サンプルを抽出するように更に構成された前記第１の抽出ユニット及び前記第２の抽出ユニットの少なくとも一方と、
時間領域において、平滑漸減ウィンドウ関数を用いて、各ＯＦＤＭシンボルに関連付けられた抽出された時間領域サンプルをウィンドウ整形し、それにより、第２の漸減時間領域サンプルを生成するように更に構成されたウィンドウ整形ユニットと、
前記時間領域において、前記平滑漸減ウィンドウ関数の逆関数を用いて、前記フィルタリングされた時間領域サンプルをウィンドウ整形し、それにより、第１の漸減時間領域サンプルを生成するように更に構成された前記ウィンドウ整形ユニットと、
前記ウィンドウ整形ユニットに動作可能に結合されるとともに、前記時間領域において、前記第１の漸減時間領域サンプルに、前記第２の漸減時間領域サンプルを重み付け方式で加算し、それにより、組み合わされた漸減時間領域サンプルを生成するように構成された加算ユニットと、
前記加算ユニットに動作可能に結合されるとともに、前記第１の時間領域信号及び前記第２の時間領域信号の少なくとも一方において、全ての前記時間領域サンプルを、それぞれの組み合わされた漸減時間領域サンプルに交換するように更に構成された、前記第１の交換ユニット及び前記第２の交換ユニットの少なくとも一方と、
を更に含む、請求項２又は３に記載のデジタル信号処理ユニット。
【請求項６】
前記平滑漸減ウィンドウ関数は、垂直中心線に関して対称であるとともに、以下のウィンドウ関数、すなわち、レイズドコサイン関数、台形関数、コサイン関数及びＴｕｋｅｙ関数の中から選択される、請求項４又は５に記載のデジタル信号処理ユニット。
【請求項７】
前記抽出された時間領域サンプルは、時間領域サンプルの第１の群及び第２の群を含むように構成され、前記第１の群は、前記第１の遷移時間境界及び前記第２の遷移時間境界の少なくとも一方の周囲に位置するとともにサイズＱを有し、前記第２の群は、前記第１の群の両側に位置するとともに両側にサイズＰを有し、
前記第１のフィルタリングユニット及び前記第２のフィルタリングユニットの少なくとも一方は、サイズＰの２倍に等しいタップ長Ｌを有する線形有限インパルス応答（ＦＩＲ）フィルターを用いて、時間領域サンプルの前記第１の群及び第２の群を同時にフィルタリングするように更に構成される、請求項２、３、４、および請求項４と組み合わせた場合の請求項６のいずれか１項に記載のデジタル信号処理ユニット。
【請求項８】
時間領域サンプルの前記第１の群は、前記時間領域サンプルが前記第１の遷移時間境界及び前記第２の遷移時間境界の少なくとも一方上で中心合わせが行われるように構成される、請求項７に記載のデジタル信号処理ユニット。
【請求項９】
時間領域サンプルの前記第１の群は、前記時間領域サンプルが前記第１の遷移時間境界及び前記第２の遷移時間境界の少なくとも一方の周囲で非対称に分布するように構成される、請求項７に記載のデジタル信号処理ユニット。
【請求項１０】
並列通信を集合的に形成するように構成された少なくとも２つの並列送信チェインを含む無線通信システムの送信デバイスであって、
前記並列送信チェインのうちの少なくとも１つは、ＯＦＤＭ送信チェインであり、
前記並列送信チェインの各々は、請求項１から９までのいずれか１項に記載のデジタル信号処理ユニットを含む、送信デバイス。
【請求項１１】
並列通信を集合的に形成する、複数の並列かつ独立した信号を有する複合時間領域信号を処理する方法であって、前記複合時間領域信号は、少なくとも第１の時間領域信号及び第２の時間領域信号を含み、前記第１の時間領域信号は、第１の遷移時間境界において互いに切れ目のない第１のＯＦＤＭシンボル及び第２のＯＦＤＭシンボルによって少なくとも形成されたＯＦＤＭ信号であり、前記複合時間領域信号は、前記並列通信に関連付けられるように構成されるとともに、互いに隣接し、それぞれ前記第１の時間領域信号及び前記第２の時間領域信号に関連付けられた第１の周波数サブバンド及び第２の周波数サブバンドに少なくとも構成される所与の周波数帯域にわたって拡がる複合周波数領域信号の時間領域表現に対応し、
該方法は、
前記第１の遷移時間境界の両側に位置する前記第１の時間領域信号の第１の所定の複数の時間領域サンプルを抽出することと、
第１の抽出された時間領域サンプルをフィルタリングし、それにより、第１のフィルタリングされた時間領域サンプルを生成することと、
前記第１の時間領域信号において、前記第１の抽出された時間領域サンプルを、前記第１のフィルタリングされた時間領域サンプルに交換することと、
を含む、方法。
【請求項１２】
前記複合周波数領域信号は、複数のサブキャリアによって形成されたマルチキャリア信号であり、
前記第２の時間領域信号は、第２の遷移時間境界において互いに切れ目のない第１のＯＦＤＭシンボル及び第２のＯＦＤＭシンボルによって少なくとも形成されたＯＦＤＭ信号であり、
前記第１の時間領域信号及び前記第２の時間領域信号は、少なくとも１つの異なる動作パラメーターを呈し、
前記方法は、
前記第２の遷移時間境界の両側に位置する前記第２の時間領域信号の第２の所定の複数の時間領域サンプルを抽出することと、
第２の抽出された時間領域サンプルをフィルタリングし、それにより、第２のフィルタリングされた時間領域サンプルを生成することと、
前記第２の時間領域信号において、前記第２の抽出された時間領域サンプルを、前記第２のフィルタリングされた時間領域サンプルに交換することと、
を更に含む、請求項１１に記載の方法。
【請求項１３】
時間領域において、平滑漸減ウィンドウ関数を用いて、前記フィルタリングされた時間領域サンプルをウィンドウ整形し、それにより、第１の漸減時間領域サンプルを生成することと、
前記時間領域において、前記平滑漸減ウィンドウ関数の逆関数を用いて、前記抽出された時間領域サンプルをウィンドウ整形し、それにより、第２の漸減時間領域サンプルを生成することと、
前記時間領域において、前記第１の漸減時間領域サンプルに、前記第２の漸減時間領域サンプルを重み付け方式で加算し、それにより、組み合わされた漸減時間領域サンプルを生成することと、
前記第１の時間領域信号において、前記抽出された時間領域サンプル又は前記フィルタリングされた時間領域サンプルを、前記組み合わされた漸減時間領域サンプルに交換することと、
を更に含む、請求項１１又は１２に記載の方法。
【請求項１４】
前記抽出された時間領域サンプルは、時間領域サンプルの第１の群及び第２の群を含むように構成され、前記第１の群は、前記第１の遷移時間境界及び前記第２の遷移時間境界の少なくとも一方の周囲に位置するとともにサイズＱを有し、前記第２の群は、前記第１の群の両側に位置するとともに両側にサイズＰを有し、
前記方法は、
サイズＰの２倍に等しいタップ長Ｌを有する線形有限インパルス応答（ＦＩＲ）フィルターを用いて、時間領域サンプルの前記第１の群及び第２の群を同時にフィルタリングすること、
を更に含む、請求項１２に記載の方法。
【請求項１５】
前記第１の時間領域信号及び前記第２の時間領域信号の少なくとも一方の全ての前記時間領域サンプルを抽出することと、
時間領域において、平滑漸減ウィンドウ関数を用いて、各ＯＦＤＭシンボルに関連付けられた、前記抽出された時間領域サンプルをウィンドウ整形し、それにより、第２の漸減時間領域サンプルを生成することと、
前記時間領域において、前記平滑漸減ウィンドウ関数の逆関数を用いて、前記フィルタリングされた時間領域サンプルをウィンドウ整形し、それにより、第１の漸減時間領域サンプルを生成することと、
前記時間領域において、前記第１の漸減時間領域サンプルに、前記第２の漸減時間領域サンプルを重み付け方式で加算し、それにより、組み合わされた漸減時間領域サンプルを生成することと、
前記第１の時間領域信号及び前記第２の時間領域信号の少なくとも一方において、全ての前記時間領域サンプルを、それぞれの組み合わされた漸減時間領域サンプルに交換することと、
を更に含む、請求項１１、１２および１４のいずれか１項に記載の方法。
【発明の詳細な説明】
【技術分野】
【０００１】
本発明は、並列通信を集合的に形成する、複数の並列かつ独立した信号を有する複合時間領域信号を処理するデジタル信号処理ユニット、無線通信システムの送信デバイス及び方法に関する。
【背景技術】
【０００２】
５Ｇネットワークによって提供されることになる次世代サービスのダイバーシティの増加をサポートするために、最近、ｆｉｌｔｅｒｅｄ−ＯＦＤＭ（フィルタリング処理付き直交周波数分割多重）として知られる波形構成が提案されている。
【０００３】
ｆｉｌｔｅｒｅｄ−ＯＦＤＭは、４Ｇロングタームエボリューションネットワーク（ＬＴＥ）においてＯＦＤＭによって要求される一様分布とは反対に、融通性のある時間周波数構成／分配を可能にすると言われている。ｆｉｌｔｅｒｅｄ−ＯＦＤＭは、所与の無線事業者に割り当てられた帯域幅をいくつかのサブバンドに分割する。さらに、各サブバンドにおいて、従来のＯＦＤＭ信号が、関連付けられたチャネル動作パラメーター、例えば、サブキャリア間隔、サイクリックプレフィックス長及び送信時間インターバルに従って、所与のタイプのサービスの需要に適合するように調整される。
【０００４】
換言すれば、所与のサブバンドに関連付けられたＯＦＤＭシンボルの各ストリームは隔絶されるとともに、他のサブバンドに関連付けられた他のＯＦＤＭシンボルに対して潜在的に非直交である。この上述の記載は、隣接したサブバンドのＯＦＤＭ信号によって異なる動作パラメーターが用いられる場合、そのようなＯＦＤＭ信号同士の間のサブキャリアの直交性は概して崩壊し、それにより、隣接したサブバンド同士の間に干渉が生じる場合があることも意味する。
【０００５】
そのようなサブバンド間干渉は、ｆｉｌｔｅｒｅｄ−ＯＦＤＭにおいて、各サブバンドのＯＦＤＭシンボルの各ストリーム上で、隣接したサブバンド同士の間に存在する場合がある帯域外（ＯＯＢ：out-of-band）放出を抑制するか、又は少なくとも目標レベル未満に低減するように構成された帯域制限フィルターを用いることによって対処される。
【発明の概要】
【発明が解決しようとする課題】
【０００６】
しかしながら、ｆｉｌｔｅｒｅｄ−ＯＦＤＭにおいて用いられるフィルタリング手法は、ＯＦＤＭシンボルの所与のストリームについて、被変調サブキャリアの近くの、高レベルの帯域外リジェクションを提供するものの、これはまた、受信機レベルにおいてビット誤りレート（ＢＥＲ）を劣化させることが知られているキャリア間干渉（ＩＣＩ）ももたらす。実際には、ｆｉｌｔｅｒｅｄ−ＯＦＤＭにおいて、フィルタリングは、所与のＯＦＤＭシンボルの全てのサブキャリアに対して適用される。
【０００７】
このことは、多くのデジタル通信システムの設計においてＢＥＲが主要な関心事項であるため、適切ではない。したがって、ＯＯＢリジェクションに関してｆｉｌｔｅｒｅｄ−ＯＦＤＭと同程度に効果的であると同時に、ＩＣＩを最小化することが可能である波形構成を有することが望ましい。
【課題を解決するための手段】
【０００８】
本発明は、添付の特許請求の範囲に記載されるように、並列通信を集合的に形成する、複数の並列かつ独立した信号を有する複合時間領域信号を処理するデジタル信号処理ユニットと、無線通信システムの送信デバイスと、方法とを提供する。本発明の特定の実施の形態は、従属請求項において言及される。本発明のこれらの態様及び他の態様は、以降に記載される実施の形態を参照して明らかとなるであろう。
【０００９】
提案される解決策の更なる詳細、態様及び実施の形態は、図面を参照して、単なる例示として記載される。図面において、同様の参照符号又は類似の参照符号は、同様の要素又は機能的に類似した要素を識別するのに用いられる。図面内の要素は、簡潔性及び明瞭性のために示されるものであり、必ずしも一定の縮尺で描かれてはいない。
【図面の簡単な説明】
【００１０】
【図１Ａ】ＯＦＤＭ送信チェインの一部の簡略図である。
【図１Ｂ】ＯＦＤＭ信号のスペクトル表現を示す図である。
【図２Ａ】サブバンドのホモジニアス動作パラメーターを有する、ｆｉｌｔｅｒｅｄ−ＯＦＤＭ送信チェインの一部の簡略図である。
【図２Ｂ】ＯＦＤＭ信号のスペクトル表現を示す図である。
【図３Ａ】サブバンドのヘテロジニアス動作パラメーターを有する、ｆｉｌｔｅｒｅｄ−ＯＦＤＭ送信チェインの一部の簡略図である。
【図３Ｂ】ＯＦＤＭ信号のスペクトル表現を示す図である。
【図４Ａ】サブバンドフィルタリングを用いる、図３Ａの一部の簡略図である。
【図４Ｂ】ＯＦＤＭ信号のスペクトル表現を示す図である。
【図５Ａ】本出願による、フィルタリングメカニズムを用いる、図３Ａの一部の簡略図である。
【図５Ｂ】ＯＦＤＭ信号のスペクトル表現を示す図である。
【図６】本出願の実施の形態による、デジタル信号処理ユニット３００を示すブロック図である。
【図７】時間領域において、かつＦＩＲフィルターに基づいて動作するフィルタリングユニットに適した、抽出された時間領域信号の一例示の構成の簡略図である。
【図８】周波数領域において動作するフィルタリングユニットを用いる、図６の動作の代替表現である。
【図９】ウィンドウイング（windowing）に関する改善された実施の形態と図７との組み合わせにおける、図６の動作の代替表現である。
【図１０】ウィンドウイングに関する改善された実施の形態と図７との組み合わせにおける、図６の動作の代替表現である。
【図１１】本出願の一実施の形態による、並列通信を集合的に形成する、複数の並行かつ独立した信号を有する複合時間領域信号を処理することのフローチャートである。
【発明を実施するための形態】
【００１１】
第１のサブバンドに関連付けられた第１の時間領域信号上で受信される帯域外（ＯＯＢ）放出を削減することができる、５Ｇに適した新たな波形構成が提案され、この場合、ＯＯＢ放出は、第１のサブバンドに隣接した第２のサブバンドに関連付けられたＯＦＤＭ時間領域信号から生じる。
【００１２】
理解を容易にするために、図１に従って、例えば、ダウンリンクにおけるＯＦＤＭ  ４Ｇロングタームエボリューションネットワーク（ＬＴＥ）において用いられるか、又はアップリンクにおける単一キャリア周波数分割多重アクセス（ＳＣ−ＦＤＭＡ）ＬＴＥにおいて用いられるようなＯＦＤＭ送信チェインの重要な態様が簡潔に記載される。
【００１３】
まずは、ＯＦＤＭは、送信すべきデータビットのストリームを分割してより低レートのストリームにし、次に、これらのより低レートのストリームが並列周波数サブキャリアにおいて送信されるという送信技法であることを述べることで十分である。図１Ａは、帯域幅ＢＯＦＤＭの所与の周波数帯域にわたって拡がるとともに、周波数領域において互いに対して直交していると言い表される複数のサブキャリア１１０を示している。直交しているということは、サブキャリア１１０のピークが、他のサブキャリア１１０のヌルにおいて生じていることを意味する。さらに、ＯＦＤＭ送信において、ＯＦＤＭシンボルは、複数のサブキャリア１１０において分配されたデータビットを、周波数領域から時間領域に変換する逆離散フーリエ変換（ＩＤＦＴ）によって生成される。図１Ａは、ＩＤＦＴの実施態様である逆高速フーリエ変換（ＩＦＦＴ）ユニット１３０を示している。図１Ａは、複数のサブキャリア１１０に基づいてＩＦＦＴユニット１３０によって生成された複数の連続ＯＦＤＭシンボル１２０を更に示している。ＯＦＤＭシンボル１２０は、サイクリックプレフィックス（「ＣＰ」としても知られる）を含むことで、例えば伝播チャネルにおける遅延拡散に起因した、連続ＯＦＤＭシンボル１２０同士の間のシンボル間干渉を防ぐことができることにも留意されたい。一方で、本発明は、ＣＰの有無にかかわらず適用可能である。
【００１４】
以下の説明において、図１Ａに示すように破線より上に位置するもの、すなわち、送信チェインにおいてＩＤＦＴの前に位置するものは全て、周波数領域信号１４０と呼ばれる。対照的に、図１Ａに示すように破線より下に位置するもの、すなわち、送信チェインにおいてＩＤＦＴの後に位置するものは全て、時間領域信号１５０と呼ばれる。最後に、図１Ｂは、例示的なＯＦＤＭ時間領域信号１５０のスペクトル占有状態（occupancy）をプロットするグラフ１６０を更に示している。
【００１５】
なおも理解を容易にするために、５Ｇネットワークを想定した、ｆｉｌｔｅｒｅｄ−ＯＦＤＭ送信チェインの重要な態様が、図２Ａに従って簡潔に説明される。
【００１６】
まず、ｆｉｌｔｅｒｅｄ−ＯＦＤＭは、所与のシステムに分配された帯域幅全体をいくつかのサブバンドに分割することに留意されたい。図２Ａは、それぞれサブバンドマッピングユニット２７０ａ及びサブバンドマッピングユニット２７０ｂによって２つのサブバンドに分割された帯域幅ＢＦ−ＯＦＤＭの所与の周波数帯域にわたって拡がるｆｉｌｔｅｒｅｄ−ＯＦＤＭ構成を示している。第１のサブバンドは、帯域幅Ｂ１を呈するとともに、第２のサブバンドは、帯域幅Ｂ２を呈しており、ここで、Ｂ１とＢ２との和は、ＢＦ−ＯＦＤＭ以下である。
【００１７】
説明の明瞭性のために、図１Ａ及び図１Ｂに関して既述した要素と類似の参照符号を有する要素についての説明は省略される。第１のサブバンド及び第２のサブバンドに関連付けられた要素に対してそれぞれ、添字ａ及びｂが附記されていることを述べておく必要があるだけである。
【００１８】
図２Ａの例では、ＯＦＤＭ時間領域信号２５０ａ及び２５０ｂは、同じ動作パラメーターを呈する。動作パラメーターという用語（「ヌメロロジー（numerology）」とも称される）は、或る波形の送信を規定するのに用いられるパラメーターに対応する。例えば、動作パラメーターは、サブキャリア間隔、サイクリックプレフィックスの長さ、ＯＦＤＭシンボルの長さ、送信時間インターバル（Transmission Time Interval）内に含まれるシンボルの数、及びミリ秒単位のＴＴＩの持続時間を含む。
【００１９】
本発明によって解決される根本的な問題のうちの１つは、周波数領域において隣接するサブバンドにそれぞれ関連付けられたＯＦＤＭ時間領域信号について、異なる動作パラメーターが用いられるというところに生じる。
【００２０】
そのような構成が５Ｇネットワークにおいて想定されていることに留意されたい。例えば、５Ｇネットワークにおいて、車車間通信について超低レイテンシー及び高信頼度を提供するために、４Ｇ  ＬＴＥにおいて用いられるＯＦＤＭヌメロロジーと比較して、ＴＴＩ持続時間を短縮することができる一方で、ＯＦＤＭのサブキャリア間隔は拡大される。同様に、モノのインターネット（internet-of-things）について低電力消費で十分なカバレッジを可能にするために、場合によっては、周波数の低い占有率（それにより、送信電力密度を高めるとともに侵入損失を克服する）及び長いＴＴＩ持続時間（それにより、送信信頼度のために準静チャネルを利用する）を有して、調整された単一キャリア波形を含めることができる。
【００２１】
図３Ａは、ＯＦＤＭ時間領域信号２５０ａ及び２５０ｂがそれぞれ、異なるチャネル間隔のサブキャリアを呈するＯＦＤＭ周波数領域信号２４０ａ及び２４０ｂに関連付けられている状況を示している。図３Ａの例では、ＯＦＤＭ周波数領域信号２４０ａのチャネル間隔は、ＯＦＤＭ周波数領域信号２４０ｂのチャネル間隔よりも短い。ＯＦＤＭ周波数領域信号２４０ａ及び２４０ｂがそれぞれ、隣接するサブバンドＢ１及びＢ３に関連付けられるので、上述の状況は、サブバンド間干渉を被るという影響を有する。そのような干渉は、図３Ｂにおいて、ＯＦＤＭ時間領域信号２５０ａ及び２５０ｂのスペクトル占有状態をそれぞれプロットするグラフ２６０ａ及び２６０ｂにおいて、丸で囲まれているように放射しているパワーに対応する。
【００２２】
ｆｉｌｔｅｒｅｄ−ＯＦＤＭは、上述の問題を、全てのサブバンドが指定のフィルターによってフィルタリングされることによって解決することを提案する。すなわち、ｆｉｌｔｅｒｅｄ−ＯＦＤＭは、所与のサブバンドに関連付けられたＯＦＤＭシンボルの各ストリームがそれぞれのスペクトル指定フィルターによってフィルタリングされることを要求する。一例では、所与の時点において、スペクトル整形フィルターは、ＯＦＤＭシンボルのストリームのうちの一ＯＦＤＭシンボルに割り当てられたサブキャリアで、周波数において中心合わせが行われ、その帯域幅は、ＯＦＤＭシンボルに関連付けられたサブキャリアに割り当てられた総周波数幅に等しい。図４Ａは、ｆｉｌｔｅｒｅｄ−ＯＦＤＭ時間領域信号（図示せず）を生成するように、それぞれサブバンドフィルターユニット２８０ａ及び２８０ｂによってフィルタリングされることになるＯＦＤＭ時間領域信号２５０ａ及び２５０ｂを示している。図４Ｂは、ＯＦＤＭ時間領域信号２５０ａ及び２５０ｂに関連付けられた、ｆｉｌｔｅｒｅｄ−ＯＦＤＭ時間領域信号のスペクトル占有状態をそれぞれプロットするグラフ２６０ａ’及び２６０ｂ’を、周波数領域において示している。図４Ｂは、全体として、ＯＦＤＭ時間領域信号２５０ａ及び２５０ｂに向けられる、ｆｉｌｔｅｒｅｄ−ＯＦＤＭの関心点（focus）を、破線において更に示している。
【００２３】
上記で既に説明したように、そのような解決策は、受信機レベルにおいてビット誤りレート（ＢＥＲ）を劣化させることが知られているキャリア間干渉（ＩＣＩ）をもたらすので、適切ではない。
【００２４】
したがって、本出願は、そのような不都合点を軽減する代替の解決策を提案する。提案される解決策は、サブバンドフィルタリングがＯＦＤＭシンボルのストリームの全てのサンプルに対しては実行されないことを除いて、ｆｉｌｔｅｒｅｄ−ＯＦＤＭに部分的に基づいている。むしろ、フィルタリングは、連続したＯＦＤＭシンボル同士の間に送信が起こる場合、ＯＦＤＭ時間領域信号ごとにのみ実行される。換言すれば、フィルタリングは、連続したＯＦＤＭシンボル同士の間の境界にわたってのみ適用される。それゆえ、ＯＦＤＭ信号に関連付けられた全てのサンプルがフィルタリングされるｆｉｌｔｅｒｅｄ−ＯＦＤＭとは対照的に、提案される解決策は、フィルタリングのために、連続したＯＦＤＭシンボル同士の間の境界に位置するサンプルのみを考慮する。
【００２５】
実際に、第１のサブバンドに関連付けられたＯＦＤＭ時間領域信号から生じるとともに、第１のサブバンドに隣接した第２のサブバンドに関連付けられた時間領域信号（ＯＦＤＭベースであるか又はＯＦＤＭベースではない）による干渉として認識されるＯＯＢ放出は、ＯＦＤＭ時間領域信号の連続したＯＦＤＭシンボル同士の間の急激な遷移（すなわち、高周波数）の発生からもたらされることが判明している。
【００２６】
図５Ａは、本発明による、境界平滑化ユニット２９０ａ及び２９０ｂによって、ＯＦＤＭシンボル同士の間の境界においてそれぞれフィルタリングされることになるＯＦＤＭ時間領域信号２５０ａ及び２５０ｂを示している。時間領域において、上記ＯＦＤＭ時間領域信号２５０ａ及び２５０ｂは、或るＯＦＤＭシンボルから後続するＯＦＤＭシンボルへの急激な遷移を有する、ＯＦＤＭ信号のストリームを含む。図５Ｂは、本発明に従って処理される、ＯＦＤＭ時間領域信号２５０ａ及び２５０ｂに関連付けられたＯＦＤＭ時間領域信号のスペクトル占有状態をそれぞれプロットするグラフ２６０ａ’’及び２６０ｂ’’を示している。図５Ｂは、ＯＯＢが生じると考えられるＯＦＤＭ時間領域信号２５０ａ及び２５０ｂの部分のみに向けられた本発明の関心点を、破線において更に示している。
【００２７】
ここで、図６〜図１０に関して本発明のいくつかの実施の形態が説明される。これらの特定の実施の形態は、単に例として与えられており、本発明は、これらの特定の実施の形態に限定されない。
【００２８】
本出願の第１の実施の形態では、図６に従って、デジタル信号処理ユニット３００が開示される。一例では、デジタル信号処理ユニット３００は、プロセッサベースコンピューティングデバイス、パーソナルコンピューター、サーバー又は他のコンピューティングシステム（例えば、特定用途向け集積回路ＡＳＩＣ又はフィールドプログラマブルゲートアレイＦＰＧＡ）とすることができる。デジタル信号処理ユニット３００は、複合時間領域信号４００を処理するように構成される。複合時間領域信号４００は、並列通信を集合的に形成するように構成された複数の並列かつ独立した信号を含む。図６の例では、複合時間領域信号４００は、少なくとも第１の時間領域信号４１０及び第２の時間領域信号４２０を含む。当然ながら、他の実施の形態では、複合時間領域信号４００は、３つ以上の時間領域信号を含むことができる。第１の時間領域信号４１０は、上記で既述したように、ＯＦＤＭ時間領域信号２５０ａ又は２５０ｂのようなものである。図６の例では、第１の時間領域信号４１０は、第１の遷移時間境界４１３において互いに切れ目のない少なくとも第１のＯＦＤＭシンボル４１１及び第２のＯＦＤＭシンボル４１２によって形成される。第２の時間領域信号４２０は、必ずしもＯＦＤＭベースではない任意のタイプの波形に関連付けることができる。例えば、本出願の第１の実施の形態の範囲から逸脱することなく、時間領域信号４２０に単一のキャリア波形を関連付けることができる。
【００２９】
言い換えれば、複合時間領域信号４００は、並列通信に関連付けられるように構成された所与の周波数帯域にわたって拡がる複合周波数領域信号の時間領域表現に対応する。加えて、所与の周波数帯域は、互いに隣接するとともに、それぞれ第１の時間領域信号４１０及び第２の時間領域信号４２０に関連付けられた第１の周波数サブバンド及び第２の周波数サブバンドに少なくとも構成される。
【００３０】
図６の例では、デジタル信号処理ユニット３００は、第１の抽出ユニット３１０、第１のフィルタリングユニット３２０及び第１の交換ユニット３３０を含む。図６に示すように、第１のフィルタリングユニット３２０は、第１の抽出ユニット３１０及び第１の交換ユニット３３０に動作可能に結合される。また、第１の抽出ユニット３１０は、第１の交換ユニット３３０に動作可能に結合される。
【００３１】
デジタル信号処理ユニット３００が動作中のとき、第１の抽出ユニット３１０は、第１の遷移時間境界４１３の両側に位置する第１の時間領域信号４１０の所定の複数の時間領域サンプルｔｓ１ａを抽出する。一般に、これは、数十個の情報期間を選択することに対応し、ここで、１つの情報期間は、被変調サブキャリアの数によって規定された、関連付けられた信号帯域幅の逆に対応する。この場合、情報期間は、更なるフィルタリングに用いることができるいずれの所与のオーバーサンプリングファクターからも独立しており、ここで、例えば、オーバーサンプリングは、ＯＦＤＭ変調の前の被変調サブキャリアのエッジ上にヌルのサブキャリアを導入することによって得られる。一例では、情報期間は、時間領域サンプル期間に等しく、第１の抽出ユニット３１０は、１０個、１５個、又は２０個の時間領域サンプル等の、数十個の時間領域サンプルを抽出する。好ましい一実施の形態では、第１の抽出ユニット３１０は、第１の遷移時間境界４１３の両側の上で同じ数の時間領域サンプルを抽出する。別の好ましい実施の形態では、第１の抽出ユニット３１０は、第１の遷移時間境界４１３の両側の上で異なる数の時間領域サンプルを抽出する。
【００３２】
さらに、デジタル信号処理ユニット３００の動作中、第１のフィルタリングユニット３２０は、抽出された時間領域サンプルｔｓ１ａをフィルタリングし、それにより、フィルタリングされた時間領域サンプルｔｓ１ｂを生成する。
【００３３】
本発明によれば、デジタルフィルタリングは、時間領域又は周波数領域のいずれかにおいて実行することができる。さらに、有限インパルス応答（ＦＩＲ）フィルター又は無限インパルス応答（ＩＩＲ）フィルター等の異なるタイプのフィルターを用いることが可能である。
【００３４】
一例では、図６に示すように、フィルタリングは、周波数領域において実行される。すなわち、第１のフィルタリングユニット３２０は、第１の変換ユニット３２１，フィルタリングユニット３２２及び第２の変換ユニット３２３を更に含む。図６に示すように、フィルタリングユニット３２２は、第１の変換ユニット３２１及び第２の変換ユニット３２３に動作可能に結合される。第１のフィルタリングユニット３２０が動作中のとき、第１の変換ユニット３２１は、抽出された時間領域サンプルｔｓ１ａを、離散フーリエ変換（ＤＦＴ）を用いて時間領域から周波数領域に変換し、それにより、周波数領域サンプルｆｓ１ａを生成する。さらに、フィルタリングユニット３２２は、周波数領域サンプルｆｓ１ａをフィルタリングする。最後に、第２の変換ユニット３２３は、フィルタリングされた周波数領域サンプルを、逆離散フーリエ変換（ＩＤＦＴ）を用いて周波数領域から時間領域に変換し、それにより、フィルタリングされた時間領域サンプルｔｓ１ｂを生成する。一例では、ＤＦＴ／ＩＤＦＴ演算は、ＦＦＴ／ＩＦＦＴアルゴリズムに従って実行される。
【００３５】
図７に示すような別の実施態様では、フィルタリングは、ＦＩＲフィルターを用いた時間領域フィルタリングにおいて実行される。図７の例では、抽出された時間領域サンプルｔｓ１ａは、時間領域サンプルの第１の群及び第２の群に構成される。第１の群は、第１の遷移時間境界４１３の周囲に位置する数Ｑ個の時間領域サンプルを含むことができ、一方、第２の群は、第１の群の両側に位置する数Ｐ個の時間領域サンプルを含むことができる。そのような構成を用いると、ＦＩＲフィルターＦは、サイズＰの２倍に等しいタップ長Ｌを用いて、時間領域サンプルの第１の群及び第２の群を同時にフィルタリングすることができる。この構成は、ｆｉｌｔｅｒｅｄ−ＯＦＤＭと比較して、第１のフィルタリングユニット３２０の複雑度を最小化するという効果を有する。実際に、提案される構成を用いると、ＯＦＤＭシンボルごとに必要とされる複素乗算の回数が制限されるようにより少数のサンプルが考慮に入れられる。加えて、第１の群のフィルタリングされた時間領域サンプルは、フィルターＦのインパルス応答が第２の群の時間領域サンプルにわたって拡がるので、第２の群の時間領域サンプルに相関されることに留意されたい。
【００３６】
図６に戻って参照すると、デジタル信号処理ユニット３００の動作中、交換ユニット３３０は、第１の時間領域信号４１０において、抽出された時間領域サンプルｔｓ１ａを、フィルタリングされた時間領域サンプルｔｓ１ｂに交換する。
【００３７】
上記第１の実施の形態は、第２の時間領域信号４２０上で被るとともに、第１の時間領域信号４１０から生じるＯＯＢ放出を低減するという効果を有し、ここで、ＯＯＢ放出は、第１の時間領域信号４１０に関連付けられた連続したＯＦＤＭシンボル同士の間の急激な遷移に起因したものである。加えて、フィルタリングされている時間領域シンボルは少数であるので、キャリア間干渉（ＩＣＩ）が低減される。それゆえ、ＩＣＩは、第１の時間領域信号４１０の限られた部分に制限される。
【００３８】
完全性を期すために、図８を参照すると、デジタル信号処理ユニット３００の動作の代替表現が示されており、ここで、フィルタリングは、周波数領域において実行される。図８では、「ＣＰ」は、上記で既に説明したように、サイクリックプレフィックスの略称である。
【００３９】
再び図６を参照すると、第１の実施の形態の好ましい一構成では、複合周波数領域信号４００は、複数のサブキャリアによって形成されたマルチキャリア信号であり、第２の時間領域信号４２０は、第２の遷移時間境界４２３において互いに連続している第１のＯＦＤＭシンボル４２１及び第２のＯＦＤＭシンボル４２２を含むＯＦＤＭ信号である。さらに、第１の時間領域信号４１０及び第２の時間領域信号４２０は、少なくとも１つの異なる動作パラメーターを呈する。一例では、動作パラメーターは、サブキャリア間隔、サイクリックプレフィックス長、サブフレーム持続時間、送信時間インターバル及び高速フーリエ変換長のうちの少なくとも１つを含む。別の実施の形態では、第１の時間領域信号４１０及び第２の時間領域信号４２０は、同じ動作パラメーターを呈するが、時間的に同期されない。
【００４０】
図６に示すように、デジタル信号処理ユニット３００は、既述した第１の抽出ユニット３１０、第１のフィルタリングユニット３２０及び第１の交換ユニット３３０と同様の、第２の抽出ユニット３４０、第２のフィルタリングユニット３５０及び第２の交換ユニット３６０を更に含む。また、第２のフィルタリングユニット３５０は、第２の抽出ユニット３４０及び第２の交換ユニット３６０に動作可能に結合される。換言すれば、上記好ましい構成は、２つのＯＦＤＭ送信チェインを含む。
【００４１】
第１の実施の形態の上記好ましい構成では、デジタル信号処理ユニット３００が動作中のとき、第２の抽出ユニット３４０は、第２の遷移時間境界４２３の両側に位置する第２の時間領域信号４２０の所定の複数の時間領域サンプルｔｓ２ａを抽出する。さらに、動作中、第２のフィルタリングユニット３５０は、抽出された時間領域サンプルｔｓ２ａをフィルタリングし、それにより、フィルタリングされた時間領域サンプルｔｓ２ｂを生成する。その後、交換ユニット３６０は、第２の時間領域信号４２０において、抽出された時間領域サンプルｔｓ２ａを、フィルタリングされた時間領域サンプルｔｓ２ｂに交換する。
【００４２】
上記好ましい構成は、第１の時間領域信号４１０と第２の時間領域信号４２０との間の相互ＯＯＢ放出を低減するという効果を有し、ここで、ＯＯＢ放出は、第１の時間領域信号４１０及び第２の時間領域信号４２０に関連付けられた、連続したＯＦＤＭシンボル同士の間の急激な遷移に起因したものである。換言すれば、第１の時間領域信号４１０に関連付けられた、連続したＯＦＤＭシンボル同士の間の急激な遷移は平滑化されており、第２の時間領域信号４２０に関連付けられた、連続したＯＦＤＭシンボル同士の間の急激な遷移も平滑化されているので、ＯＯＢ放出が低減される。
【００４３】
上述した第１の実施の形態及び好ましい構成は、ＯＦＤＭシンボル同士の間の遷移を平滑化するものの、比較的小さな振幅崩壊（amplitude breaks）が、元の時間領域サンプルと、第１の時間領域信号４１０の境界の周囲で元のサンプルと交換されるフィルタリングされた時間領域サンプルとの間の境界においてもたらされることが、注目されてきた。これらの振幅崩壊は、抽出された時間領域サンプルの第１の時間領域信号及び／又は第２の時間領域信号を、フィルタリングされた時間領域サンプルに交換することに由来して現れる。
【００４４】
この問題を解決するために、更なる改善が、図６に従って提案される。
【００４５】
図６に示すように、デジタル信号処理ユニット３００は、ウィンドウ整形ユニット３７０及び加算ユニット３８０を更に含む。ウィンドウ整形ユニット３７０は、抽出ユニット３１０、３４０及びフィルタリングユニット３２０、３５０に動作可能に結合される。さらに、加算ユニット３８０は、ウィンドウ整形ユニット３７０及び交換ユニット３３０、３６０に動作可能に結合される。
【００４６】
デジタル信号処理ユニット３００が動作中のとき、ウィンドウ整形ユニット３７０は、時間領域において、平滑漸減ウィンドウ関数Ｗを用いて、フィルタリングされた時間領域サンプルｔｓ１ｂ、ｔｓ２ｂをウィンドウ整形し、それにより、第１の漸減時間領域サンプルｔａｐ＿ｔｓ１ｂ、ｔａｐ＿ｔｓ２ｂを生成する。さらに、ウィンドウ整形ユニット３７０は、時間領域において、平滑漸減ウィンドウ関数Ｗの逆関数を用いて、抽出された時間領域サンプルｔｓ１ａ、ｔｓ2ａをウィンドウ整形し、それにより、第２の漸減時間領域サンプルｔａｐ＿ｔｓ１ａ、ｔａｐ＿ｔｓ２ａを生成する。その後、加算ユニット３８０は、時間領域において、第１の漸減時間領域サンプルｔａｐ＿ｔｓ１ｂ、ｔａｐ＿ｔｓ２ｂに、第２の漸減時間領域サンプルｔａｐ＿ｔｓ１ａ、ｔａｐ＿ｔｓ２ａを加算し、それにより、組み合わされた漸減時間領域サンプルｔａｐ＿ｔｓ１、ｔａｐ＿ｔｓ２を生成する。
【００４７】
一例では、加算ユニット３８０は、以下の定式、すなわち、ｘｂ（ｔ）×ｗ（ｔ）＋ｘａ（ｔ）×（１−ｗ（ｔ））によって示す重み付け原理に従って加算を実行し、ここで、ｘｂ（ｔ）は、第１の漸減時間領域サンプルｔａｐ＿ｔｓ１ｂ、ｔａｐ＿ｔｓ２ｂに対応し、ｘａ（ｔ）は、第２の漸減時間領域サンプルｔａｐ＿ｔｓ１ａ、ｔａｐ＿ｔｓ２ａに対応し、ｗ（ｔ）は、平滑漸減ウィンドウ関数Ｗに対応する。
【００４８】
最後に、交換ユニット３３０、３６０は、第１の時間領域信号及び／又は第２の時間領域信号において、フィルタリングされた時間領域サンプルｔｓ１ｂ、ｔｓ２ｂを、組み合わされた漸減時間領域サンプルｔａｐ＿ｔｓ１、ｔａｐ＿ｔｓ２に交換する。一実施の形態では、交換ユニット３３０、３６０は、第１の時間領域信号及び／又は第２の時間領域信号において、抽出された時間領域サンプルを、組み合わされた漸減時間領域サンプルｔａｐ＿ｔｓ１、ｔａｐ＿ｔｓ２に交換する。
【００４９】
本明細書において、漸減ウィンドウ関数は、その終端において漸次的に０を近似する関数であることが理解される。そのような関数の場合、メインローブの幅と、サイドローブの最大レベルとの間にトレードオフが存在する。さらに、漸減ウィンドウ関数がその逆関数に加算される場合、その結果は、全ての入力値について同じ値（例えば１）を有する定数関数に対応する。一例では、平滑漸減ウィンドウ関数は、垂直中心線（すなわち、関数の中心周波数）に関して対称であるとともに、以下のウィンドウ関数、すなわち、ルートレイズドコサイン関数、レイズドコサイン関数、台形（trapezoidal）関数、コサイン関数及びＴｕｋｅｙ関数の中から選択される。
【００５０】
上記改善された構成は、上記で既に説明したように、元の時間領域サンプルと、フィルタリングされた時間領域サンプルとの間の境界においてもたらされる比較的小さい振幅崩壊を低減するという効果を有する。
【００５１】
完全性を期すために、図９を参照すると、上述した改善された実施の形態及び図７の実施の形態と関連したデジタル信号処理ユニット３００の動作の代替表現が示されている。図９の例では、平滑漸減ウィンドウ関数Ｗは、台形関数であり、フィルタリングは、周波数領域において実行される。
【００５２】
また、完全性を期すために、図１０を参照すると、上述した改善された実施の形態及び図７の実施の形態と関連したデジタル信号処理ユニット３００の動作の別の代替表現が示されている。また、図１０の例では、平滑漸減ウィンドウ関数Ｗは、台形関数である。しかしながら、図９の実施の形態とは反対に、図１０では、平滑漸減ウィンドウ関数Ｗは、検討対象のＯＦＤＭシンボルの中心において中心合わせが行われるとともに、当該ＯＦＤＭシンボルの全長にわたって適用される。さらに、平滑漸減ウィンドウ関数Ｗの逆関数も、検討対象のＯＦＤＭシンボルの中心において中心合わせが行われるとともに、同じ長さにわたって、フィルタリングされた時間領域サンプルに適用される。
【００５３】
図１０の例では、デジタル信号処理ユニット３００が動作中のとき、抽出ユニット３１０、３４０は、ＯＦＤＭ時間領域信号４１０、４２０に関連付けられた各ＯＦＤＭシンボル４１１、４１２、４２１、４２２の所定の複数の時間領域サンプルｔｓ１ｃ、ｔｓ２ｃを抽出する。この実施の形態では、抽出された時間領域サンプルｔｓ１ｃ、ｔｓ２ｃは、各ＯＦＤＭシンボル４１１、４１２、４２１、４２２の有用部分の中心の両側に位置する。さらに、ウィンドウ整形ユニット３７０は、時間領域において、平滑漸減ウィンドウ関数Ｗを用いて、抽出された時間領域サンプルｔｓ１ｃ、ｔｓ２ｃをウィンドウ整形し、それにより、第２の漸減時間領域サンプルｔａｐ＿ｔｓ１ｃ、ｔａｐ＿ｔｓ２ｃを生成する。さらにここでも、ウィンドウ整形ユニット３７０は、時間領域において、平滑漸減ウィンドウ関数Ｗの逆関数を用いて、フィルタリングされた時間領域サンプルｔｓ１ｂ、ｔｓ２ｂをウィンドウ整形し、それにより、第１の漸減時間領域サンプルｔａｐ＿ｔｓ１ｂ、ｔａｐ＿ｔｓ２ｂを生成する。その後、上記で既に説明したように、加算ユニット３８０は、時間領域において、第１の漸減時間領域サンプルｔａｐ＿ｔｓ１ｂ、ｔａｐ＿ｔｓ２ｂに、第２の漸減時間領域サンプルｔａｐ＿ｔｓ１ｃ、ｔａｐ＿ｔｓ２ｃを加算し、それにより、組み合わされた漸減時間領域サンプルｔａｐ＿ｔｓ１、ｔａｐ＿ｔｓ２を生成する。最後に、交換ユニット３３０、３６０は、第１の時間領域信号及び／又は第２の時間領域信号において、全ての関連した元の時間領域サンプルを、組み合わされた漸減時間領域サンプルに交換する。上述の記載において、全ての関連した時間領域サンプルは、所与のＯＦＤＭシンボルに関連付けられた時間領域サンプルである。実際には、図１０に示すように、ＯＦＤＭシンボル４１１、４１２に関連付けられた全ての時間領域サンプルは、第２の漸減時間領域サンプルｔａｐ＿ｔｓ１ｃ、ｔａｐ＿ｔｓ２ｃ及び第１の漸減時間領域サンプルｔａｐ＿ｔｓ１ｂ、ｔａｐ＿ｔｓ２ｂの組み合わせに置き換えられる。換言すれば、組み合わされた漸減時間領域サンプルｔａｐ＿ｔｓ１、ｔａｐ＿ｔｓ２に関連付けられた時間領域サンプルの数は、ＯＦＤＭシンボル４１１、４１２の各々に関連付けられた時間領域サンプルの数に等しい。
【００５４】
本発明は、無線通信において用いられる送信デバイス等の送信デバイスにおいて具現化することができる。そのような送信デバイスは、並列通信を集合的に形成するように構成された少なくとも２つの並列送信チェインを含むことができ、ここで、送信チェインのうちの少なくとも１つは、ＯＦＤＭ送信チェインであり、並列送信チェインの各々は、デジタル信号処理ユニット３００を含む。
【００５５】
さらに、図１１に示すように、提案される解決策の実施の形態は、上記で既述したように複合時間領域信号４００を処理する方法５００において実施することもできる。このような方法は、
Ｓ５１０において、第１の遷移時間境界の両側に位置する第１の時間領域信号の所定の複数の時間領域サンプルを抽出することと、
Ｓ５２０において、抽出された時間領域サンプルをフィルタリングし、それにより、フィルタリングされた時間領域サンプルを生成することと、
Ｓ５３０において、第１の時間領域信号において、抽出された時間領域サンプルを、フィルタリングされた時間領域サンプルに交換することと、
を含むことができる。
【００５６】
この方法の実施の形態では、複合周波数領域信号は、上記で既述したように、複数のサブキャリアによって形成されたマルチキャリア信号であり、第１の時間領域信号及び第２の時間領域信号は、これも上記で記載したように、少なくとも１つの異なる動作パラメーターを呈する。このような場合、この方法は、
第２の遷移時間境界の両側に位置する第２の時間領域信号の所定の複数の時間領域サンプルを抽出することと、
抽出された時間領域サンプルをフィルタリングし、それにより、フィルタリングされた時間領域サンプルを生成することと、
第２の時間領域信号において、抽出された時間領域サンプルを、フィルタリングされた時間領域サンプルに交換することと、
を更に含む。
【００５７】
この方法の他の実施の形態では、この方法は、
時間領域において、平滑漸減ウィンドウ関数を用いて、フィルタリングされた時間領域サンプルをウィンドウ整形し、それにより、第１の漸減時間領域サンプルを生成することと、
時間領域において、平滑漸減ウィンドウ関数の逆関数を用いて、抽出された時間領域サンプルをウィンドウ整形し、それにより、第２の漸減時間領域サンプルを生成することと、
時間領域において、第１の漸減時間領域サンプルに、第２の漸減時間領域サンプルを重み付け方式で加算し、それにより、組み合わされた漸減時間領域サンプルを生成することと、
第１の時間領域信号において、抽出された時間領域サンプル又はフィルタリングされた時間領域サンプルを、組み合わされた漸減時間領域サンプルに交換することと、
を更に含む。
【００５８】
この方法の代替の実施の形態では、この方法は、
第１の時間領域信号及び／又は第２の時間領域信号の全ての時間領域サンプルを抽出することと、
時間領域において、平滑漸減ウィンドウ関数を用いて、各ＯＦＤＭシンボルに関連付けられた、抽出された時間領域サンプルをウィンドウ整形し、それにより、第２の漸減時間領域サンプルを生成することと、
時間領域において、平滑漸減ウィンドウ関数の逆関数を用いて、フィルタリングされた時間領域サンプルをウィンドウ整形し、それにより、第１の漸減時間領域サンプルを生成することと、
時間領域において、第１の漸減時間領域サンプルに、第２の漸減時間領域サンプルを重み付け方式で加算し、それにより、組み合わされた漸減時間領域サンプルを生成することと、
第１の時間領域信号及び／又は第２の時間領域信号において、全ての時間領域サンプルを、それぞれの組み合わされた漸減時間領域サンプルに交換することと、
を更に含む。
【００５９】
この方法の１つの実施の形態では、フィルタリングすることは、
抽出された時間領域サンプルを、離散フーリエ変換（ＤＦＴ）を用いて、時間領域から周波数領域に変換し、それにより、周波数領域サンプルを生成することと、
周波数領域サンプルをフィルタリングすることと、
フィルタリングされた周波数領域サンプルを、逆離散フーリエ変換（ＩＤＦＴ）を用いて、周波数領域から時間領域に変換し、それにより、フィルタリングされた時間領域サンプルを生成することと、
を更に含む。
【００６０】
上記の実施の形態のうちのいくつかの実施の形態では、抽出された時間領域サンプルは、時間領域サンプルの第１の群及び第２の群を含むように構成され、第１の群は、第１の遷移時間境界及び／又は第２の遷移時間境界の周囲に位置するとともにサイズＱを有し、第２の群は、第１の群の両側に位置するとともに両側にサイズＰを有する。さらに、この方法は、サイズＰの２倍に等しいタップ長Ｌを有する線形ＦＩＲフィルターを用いて、時間領域サンプルの第１の群及び第２の群を同時にフィルタリングすることも含む。
【００６１】
また、上記で提案された方法は、非一時的コンピューター可読記憶媒体において具現化されたコンピュータープログラムによって実行することができる。
【００６２】
上述の詳細において、提案された解決策は、この提案された解決策の実施の形態の特定の例に関して記載されてきた。しかしながら、添付の特許請求の範囲において言及される、提案された解決策のより広い範囲から逸脱することなく、種々の変更及び変形を加えることができることが明らかとなるであろう。
【図１Ａ】
0006765541.tif 000002
【図１Ｂ】
0006765541.tif 000003
【図２Ａ】
0006765541.tif 000004
【図２Ｂ】
0006765541.tif 000005
【図３Ａ】
0006765541.tif 000006
【図３Ｂ】
0006765541.tif 000007
【図４Ａ】
0006765541.tif 000008
【図４Ｂ】
0006765541.tif 000009
【図５Ａ】
0006765541.tif 000010
【図５Ｂ】
0006765541.tif 000011
【図６】
0006765541.tif 000012
【図７】
0006765541.tif 000013
【図８】
0006765541.tif 000014
【図９】
0006765541.tif 000015
【図１０】
0006765541.tif 000016
【図１１】
0006765541.tif 000017